(57)【要約】【課題】斜線制限等の法的制限を簡易に回避できる構成の建物の軒先廻り構造を提供する。【解決手段】建物の軒先廻り構造は、外壁1と、外壁1の上端1eよりも高い高さ位置にあって、外壁1の外表面1fよりも建物内部側に後退した水平方向位置に配置された軒先部2aを有する屋根1と、外壁1の上端1eと屋根2の軒先部との間に配置され、建物内部に向かって窪んだ窪み部Dを形作る外表面3fを有する仕切材3と、仕切材3の外表面3fで形作られた窪み部Dに配置された軒樋4と、を備え、軒樋4は、当該軒樋4の外側起立部41に開口部44を有する。【選択図】図１
2018172937.tif 000002
【特許請求の範囲】
【請求項１】
外壁と、
前記外壁の上端よりも高い高さ位置にあって、前記外壁の外表面よりも建物内部側に後退した水平方向位置に配置された軒先部を有する屋根と、
前記外壁の上端と前記軒先部との間に配置され、建物内部に向かって窪んだ窪み部を形作る外表面を有する仕切材と、
前記仕切材の外表面で形作られた前記窪み部に配置された軒樋と、を備え、
前記軒樋は、当該軒樋の外側起立部に開口部を有する、建物の軒先廻り構造。
【請求項２】
前記軒樋の底部の形状は、前記仕切材の外表面の形状に対応する形状である、請求項１に記載の建物の軒先廻り構造。
【請求項３】
前記仕切材は、前記軒樋の底部に対応する部分が前記軒先部側から前記外壁の外表面側に向かって下向きに下がった形状である、請求項１又は２に記載の建物の軒先廻り構造。
【請求項４】
前記軒樋の外側起立部の外表面は、前記外壁の外表面よりも建物外部側に突出した水平方向位置に配置されている、請求項１乃至３のいずれか１項に記載の建物の軒先廻り構造。
【請求項５】
前記軒樋の下端は、前記軒樋の外側起立部の下端に当該軒樋の底部の水平方向外側端縁を建物外部に向かって下向きに接続した接続端である、請求項４に記載の建物の軒先廻り構造。
【請求項６】
前記軒樋の下端は、前記仕切材の水平方向外側端と一致する高さ位置、又は、前記仕切材の水平方向外側端よりも低い高さ位置である、請求項１乃至５のいずれか１項に記載の建物の軒先廻り構造。
【請求項７】
前記仕切材の水平方向外側端は、前記外壁の外表面と一致する水平方向位置、又は、当該外壁の外表面よりも建物内部側に後退した水平方向位置に配置されている、請求項４に記載の建物の軒先廻り構造。
【発明の詳細な説明】
【技術分野】
【０００１】
本発明は、建物の軒先廻り構造に関する。
【背景技術】
【０００２】
従来の建物の軒先廻り構造としては、例えば特許文献１に記載のように、外壁パネルの上端と傾斜屋根の先端との間の空間に軒先水切及び軒樋を配置したものがある。
【先行技術文献】
【特許文献】
【０００３】
【特許文献１】特開平６−１２３１６２号公報
【発明の概要】
【発明が解決しようとする課題】
【０００４】
上述した従来の軒先廻り構造では、軒樋の底部の落とし口に落とし樋を接続している。このような構造では、軒樋の下方に落とし樋を接続するためのスペースが必要であるので、軒樋が全体として仕切材から離れた高い位置に設置されることになり、建物が斜線制限等の建物の高さに対する法的制限に抵触し易くなるといった問題があった。
本発明の目的は、軒樋の高さ位置をより低い位置にすることができる、建物の軒先廻り構造を提供することである。
【課題を解決するための手段】
【０００５】
本発明に係る建物の軒先廻り構造は、外壁と、前記外壁の上端よりも高い高さ位置にあって、前記外壁の外表面よりも建物内部側に後退した水平方向位置に配置された軒先部を有する屋根と、前記外壁の上端と前記軒先部との間に配置され、建物内部に向かって窪んだ窪み部を形作る外表面を有する仕切材と、前記仕切材の外表面で形作られた前記窪み部に配置された軒樋と、を備え、前記軒樋は、当該軒樋の外側起立部に開口部を有する。
本発明に係る建物の軒先廻り構造によれば、軒樋の高さ位置をより低い位置にすることができる。
【０００６】
本明細書中、「軒先部」とは、「屋根の端」を意味する。
【０００７】
また本明細書中、「仕切材」とは、雨水の浸入を防止する等のために外壁と屋根との間の隙間を塞ぐための部材を意味する。
【０００８】
また本明細書中、「軒樋の外側起立部の開口部」とは、軒樋の外側起立部を貫通する開口部を意味する。前記開口部としては、例えば、軒樋の外側起立部に形成された貫通孔の他、軒樋の外側起立部の上端から下向きに切り欠かれた部分等が挙げられる。
【０００９】
本発明に係る建物の軒先廻り構造では、前記軒樋の底部の形状は、前記仕切材の外表面の形状に対応する形状であることが好ましい。この場合、軒樋の高さ位置をより低い位置にすることができる。
【００１０】
本明細書中、「前記軒樋の底部の形状は、前記仕切材の外表面の形状に対応する形状である」とは、前記軒樋の底部が前記仕切材の外表面に沿って延在していることを意味している。
【００１１】
本発明に係る建物の軒先廻り構造では、前記仕切材は、前記軒樋の底部に対応する部分が前記軒先部側から前記外壁の外表面側に向かって下向きに下がった形状であることが好ましい。この場合、止水性と共に防汚性を向上させることができる。
【００１２】
本発明に係る建物の軒先廻り構造では、前記軒樋の外側起立部の外表面は、前記外壁の外表面よりも建物外部側に突出した水平方向位置に配置されていることが好ましい。この場合、軒樋の外側起立部の外表面を伝って流れ落ちる雨水による、外壁の外表面の汚れを防止することができる。
【００１３】
本発明に係る建物の軒先廻り構造では、前記軒樋の下端は、前記軒樋の外側起立部の下端に当該軒樋の底部の水平方向外側端縁を建物外部に向かって下向きに接続した接続端であることが好ましい。この場合、建物を下方から見上げて軒樋の底部の一部が外壁の外表面よりも突出しているときでも、当該軒樋の下端（一番下がった部分）が直線状の稜線を形作るように見えるので、視覚的に外壁の外表面よりも突出した軒樋の底部の一部が厚みを感じさせることがなく、軒樋の突出感を軽減させることができる。
【００１４】
本発明に係る建物の軒先廻り構造では、前記軒樋の下端は、前記仕切材の水平方向外側端と一致する高さ位置、又は、前記仕切材の水平方向外側端よりも低い高さ位置であることが好ましい。この場合、仕切材が軒樋の陰に隠れて視認できなくなるため、仕切材に別途カバーを設ける必要がなく、構成を単純化することができる。
【００１５】
本発明に係る建物の軒先廻り構造では、前記仕切材の水平方向外側端は、前記外壁の外表面と一致する水平方向位置、又は、当該外壁の外表面よりも建物内部側に後退した水平方向位置に配置されていることが好ましい。この場合、軒樋の外側起立部の外表面が前記外壁の外表面よりも建物外部側に突出した水平方向位置に配置されていることとも相まって、仕切材を軒樋でより隠し易い。またこの場合、仕切材が屋根及び軒樋で覆われることで、雨水及び塵埃が仕切材に降り落ちることがないため、仕切材を外壁の外表面よりも後退させても外壁に汚れが付着することがない。  
【発明の効果】
【００１６】
本発明によれば、軒樋の高さ位置をより低い位置にすることができる、建物の軒先廻り構造を提供することができる。
【図面の簡単な説明】
【００１７】
【図１】本発明の一実施形態に係る建物の軒先廻り構造を示す断面図である。
【図２】図１において、軒樋を取り除いた状態を拡大して示す断面図である。
【図３】図２において、軒樋を取り付けた状態を開口部位置と異なる位置で示す断面図である。
【発明を実施するための形態】
【００１８】
以下、図面を参照して、本発明の一実施形態に係る軒先廻り構造を説明する。
【００１９】
図１中、符号１は、外壁である。本実施形態では、外壁１は、ＡＬＣ（高温高圧蒸気養生された軽量気泡コンクリート）パネル等の外装パネルで構成されている。外壁１の外表面（建物外側の表面）１ｆには、防水性を有する塗膜が形成されている。外壁１は、上下方向に間隔を置いて配置された外周梁１１のうち、上側の外周梁１１に、支持金物Ｍ等を介して取り付けられている。本実施形態では、外周梁１１は、Ｈ鋼で構成されている。また本実施形態では、外壁１の上端１ｅの高さ位置が外周梁１１の上面（Ｈ鋼の上フランジ部分の上面）１１ｅより若干低くなるように設定されている。これにより、後述のシール材１８の充填スペースを確保している。なお、外壁１の上端１ｅの高さ位置は外周梁１１の上面１１ｅと一致させることも可能である。この場合は、シール材１８は、例えば、外壁１の上端１ｅに凹部を形成し、当該凹部に充填することができる。
【００２０】
符号２は、屋根である。図２に示すように、屋根２は、外壁１の上端１ｅよりも高い高さ位置にあって、外壁１の外表面１ｆよりも建物内部側に後退した水平方向位置に配置されている軒先部２ａを有している。本実施形態では、屋根２は、勾配屋根である。また本明細書中、「軒先部２ａ」とは、「屋根２の端」を意味する。本実施形態では、屋根２は、野地板２１、防水機能を有したルーフィング材２２、瓦などの屋根材２３で構成されている。野地板２１は、垂木１２に固定されている。
【００２１】
垂木１２は、垂木受金物１３を介して外周梁１１に取り付けられる。垂木１２は、野地板２１を固定するための下地となる。垂木受金物１３は、垂木１２の高さ位置に対応して外周梁１１の上面１１ｅに取り付けられている。本実施形態では、垂木受金物１３は、四角板状の水平片１３１、水平片１３１の一辺（図面手前側に位置する辺）から上方に屈曲した板状の第一起立片１３２及び第一起立片１３２の前側端縁から水平片１３１とは逆方向（図面奥側から図面手前側に向かう方向）に屈曲した板状の第二起立片１３３を有している。垂木受金物１３の水平片１３１は、外周梁１１への接合部となる。垂木受金物１３の水平片１３１は、締結手段（ボルト）Ｆによって外周梁１１に固定されている。垂木受金物１３の第一起立片１３２は、垂木１２の支持部となる。垂木受金物１３の第二起立片１３３は、後述する下地金物１４の接合部となる。
【００２２】
外壁１の上端１ｅと屋根２の軒先部２ａとの間には、後退部Ｂが形成されている。後退部Ｂは、後述する軒樋４を外壁１の外表面１ｆ及び屋根２（屋根材２３）の外表面２ｆから突出させないように取り付けるための空間である。
【００２３】
符号３は、外壁１の上端１ｅと屋根２の軒先部２ａとの間に形成された後退部Ｂに配置される仕切材である。仕切材３は、本実施形態では、建物内部に向かって窪んだ窪み部Ｄを形作る外表面３ｆを有している。仕切材３は、外壁１による防水ライン（外表面１ｆ）と屋根２による防水ライン（外表面２ｆ）が途切れる後退部Ｂに配置され、後退部Ｂからの建物内部への雨水の浸入を防止するための横長の部材である。仕切材３の具体例としては、水が壁面等を伝って落ちたり回り込んだりしないように、水切りと同様の機能を奏するもの、例えば、防水性を有した幕板が挙げられる。本実施形態では、仕切材３は、アルミ板等の金属板を折り曲げ加工することにより形成されている。本実施形態では、仕切材３は、屋根２の軒先部（先端）２ａよりも奥まった建物内部側の水平方向位置で起立する第一片３１と、第一片３１の下端から屈曲し傾斜角θで外壁１の外表面１ｆ方向に向かって下る第二片３２とを有している。これにより、仕切材３の第二片３２の下端は、当該仕切材３の水平方向外側端３ｅを構成している。なお、傾斜角θは、好ましくは３０〜４０度、より好ましくは３５度（±２度以内の誤差を含む。）である。更に本実施形態では、仕切材３の水平方向外側端３ｅの高さ位置は、外周梁１１の上面１１ｅの高さ位置にほぼ一致している。更に本実施形態では、仕切材３は、当該仕切材３の水平方向外側端端３ｅで建物内部に向かって屈曲した第三片３３及び第三片３３の先端から更に下方に向かって屈曲した第四片３４を有している。この屈曲部分である第三片３３及び第四片３４は、外壁１の上端１ｅと共に、仕切材３の第二片３２と外壁１の上端１ｅとの間の隙間を止水する湿式のシール材を充填するためのシーリングポケットを形成している。図では、シール材１８が配置された状態で示す。仕切材３は、当該仕切材３の第二片３２が、外周梁１１に取り付けられた後述の下地金物１４の傾斜面１４２ｆに当接するように、当該下地金物１４に取り付けられている。
【００２４】
図３中、符号４は、仕切材３の外表面３ｆで形作られた窪み部Ｄに配置された軒樋である。本実施形態では、軒樋４は、アルミ板等の金属板を折り曲げ加工することにより形成されている。本実施形態では、軒樋４は、底部４１と、底部４１の水平方向外側端縁から上方に向かって鋭角に屈曲した外側起立部４２と、底部４１の水平方向内側端縁から上方に向かって鈍角に屈曲した内側起立部４３とを有している。本実施形態では、軒樋４の下端４ｅは、軒樋４の外側起立部４２の下端に当該軒樋４の底部４１の水平方向外側端縁を建物外部に向かって下向きに接続した接続端である。また本実施形態では、軒樋４における外側起立部４２及び内側起立部４３の上端は、夫々軒樋４の内部側に向かって鋭角に屈曲している。また、外側起立部４２の上端の高さ位置は、内側起立部４３の上端の高さ位置よりも若干低く、例えば豪雨の際には、雨水が外側起立部４２側に溢れるように構成されている。本実施形態では、軒樋４は、下地金物１４に取り付けられた軒樋取付ブラケット１５によって吊られた状態で取り付けられている。軒樋取付ブラケット１５は、外周梁１１の延在方向に間隔を置いて下地金物１４に取り付けられている。また本実施形態では、野地板２１の先端部には、軒先水切り１６が取り付けられている。軒先水切り１６は、軒樋４の延在方向に沿って延在している。軒先水切り１６は、その先端１６ａが軒樋４に覆いかぶさるように、野地板２１に取り付けられている。
【００２５】
本実施形態では、仕切材３及び軒樋４の間並びに仕切材３及び屋根２（の裏面）の間は、夫々離隔しており、外部空間と屋根２の裏部（屋根２と天井との間の空間）とが連通している。これにより、本実施形態では、仕切材３と軒樋４との間及び屋根２と軒樋４との間には外気の導入路が形成されている。具体的には、仕切材３と軒樋４とは、接触しておらず、わずかな隙間Ｃ１が形成されている。隙間Ｃ１は、所望の空気の流通量が確保可能な寸法、例えば、２〜１０ｍｍ、より好ましくは５〜７ｍｍとすることができる。また本実施形態では、仕切材３及び下地金物１４の上端と、屋根２との間にも隙間Ｃ２が形成されている。本実施形態では、隙間Ｃ１は、隙間Ｃ２に連通している。また本実施形態では、軒樋４と軒先水切り１６の先端１６ａとの間にも隙間Ｃ３が形成されている。隙間Ｃ３も、隙間Ｃ２に連通している。屋根２の裏部には、隙間Ｃ１と隙間Ｃ２を経由するルート及び隙間Ｃ３と隙間Ｃ２を経由するルートで外気が導入されるとともに、屋根２の裏部の温かい空気が順次、棟部に設けられた棟換気金物から排出される（棟部及び棟換気金物は共に図示省略。）。これにより、屋根２の裏部において、重力換気による自然換気がなされる。
【００２６】
なお、本実施形態では、軒樋４の内側起立部４３と仕切材３の第一片３１との間には、換気金物１７が設置されている。換気金物１７は、外周梁１１の延在方向に延在し屋根２に取り付けられている。換気金物１７には、通気用の複数の小穴１７ｈが所定の間隔で設けられている。これにより、換気金物１７は、外気を通しつつ、隙間Ｃ１及び隙間Ｃ３から屋根２の裏部への虫等の侵入を防止する。特に本実施形態では、換気金物１７は、野地板２１に対して締結手段Ｆ(図示省略)によって軒先水切り１６とともに固定されている。
【００２７】
下地金物１４は、仕切材３及び軒樋取付ブラケット１５を取り付けるための下地となる部材である。下地金物１４は、外周梁１１の延在方向に沿って当該外周梁１１から建物外側方向に持ち出された状態（片持ち支持された状態）で取り付けられている。下地金物１４は、水平片１４１と、水平片１４１の先端１４ａから所定の傾斜角θとなるように屈曲させた傾斜片１４２とを有し、水平片１４１と傾斜片１４２とが断面視で略Ｖ字状をなしている。本実施形態では、下地金物１４の水平片１４１が外周梁１１の上面１１ｅに載置されている。また本実施形態では、下地金物１４の水平片１４１が締結手段（ボルト）Ｆによって外周梁１１に接合されている。
【００２８】
本実施形態では、下地金物１４の傾斜片１４２の傾斜角θは、仕切材３の後端側（裏側）の角度に対応して一致している。これにより、仕切材３の第二片３２の裏面は、下地金物１４の傾斜片１４２の傾斜面１４２ｆと当接している。更に本実施形態では、下地金物１４は、傾斜片１４２の上端から鉛直方向に屈曲した屈曲部１４３を有している。下地金物１４の屈曲部１４３は、垂木受金物１３と接合している。本実施形態では、下地金物１４の屈曲部１４３は、締結手段（ボルト）Ｆによって垂木受金物１３の第二起立片１３３に固定されている。垂木受金物１３は、下地金物１４の補強金物としても機能する。すなわち、下地金物１４の水平片１４１と傾斜片１４２との間の開放された後端側（図面では、符号θが付された側）における傾斜片１４２の撓みを防止若しくは低減することができる。また、上述のとおり、下地金物１４は、当該下地金物１４の前記後端側が開放されているので、作業者の手が入りやすく、外周梁１１に対して容易に取り付け（ボルト接合）を行うことができる。
【００２９】
図３に示すように、軒樋取付ブラケット１５は、仕切材３を下地金物１４に取り付けたのち、当該下地金物１４の傾斜片１４２に対して仕切材３と共に締結手段（ねじ、ビス等）Ｆによって固定されている。本実施形態では、軒樋取付ブラケット１５は、上吊りタイプの金物である。具体的には、軒樋取付ブラケット１５は、軒樋４の外側起立部４２及び内側起立部４３の上端の屈曲部を掛止して保持する形態のものである。本実施形態のような、軒樋取付ブラケット１５を採用した場合、軒樋取付ブラケット１５は、下地金物１４の傾斜片１４２に固定される。この場合、軒樋取付ブラケットが鼻先（鉛直面）に取り付けられる一般的な納まりに比べて、軒樋取付ブラケット１５に対して曲げが作用しにくく、軒樋取付ブラケット１５を固定する締結手段（ビス）Ｆに生じる引き抜き力が低減される。但し、軒樋取付ブラケット１５は、鉛直な面に取り付けてもよい。
【００３０】
更に図１に示すように、本実施形態では、軒樋４は、当該軒樋４の外側起立部４２に下端まで達する開口部４４を有する。開口部４４は、軒樋４に溜まった雨水を外部に排出する機能を有する。開口部４４は、降水量、屋根２の面積、開口部４４一箇所あたりの排水能力等に基づいてその必要設置数が算出される。特に本実施形態では、図１に示すように、軒樋４の開口部４４には、上合（じょうご）５が接続され、上合５の落とし口５ａには、縦樋６が接続されている。本実施形態のように、軒樋４の外側起立部４２に開口部４４を形成すれば、上合５を軒樋４の底部４１に接続する必要がなく、軒樋４の下方（底部４１の下方）に空間を確保する必要がない。このため、本実施形態のように、軒樋４全体の高さ位置を仕切材３の外表面３ｆ（第二片３２の外表面３２ｆ）に接近させることができる。従って、本実施形態に係る建物の軒先廻り構造によれば、軒樋４の高さ位置をより低い位置にすることができる。
【００３１】
また本実施形態では、軒樋４の下方に突出するものを設けないので、仕切材３の形状・納まりを単純化・統一化できる。また本明細書中、「軒樋４の外側起立部４２の開口部４４」とは、軒樋４の外側起立部４２を貫通する開口部を意味する。開口部４４は、例えば、軒樋４の内側に集まった雨水を排出し、又は、当該雨水を縦樋６に導く等の機能を発揮するものであれば、当該開口部４４の形態は問わない。開口部４４の具体例としては、例えば、本実施形態のような軒樋４の外側起立部４２に形成された貫通孔の他、軒樋４の外側起立部４２の上端から下向きに切り欠かれた部分等が挙げられる。開口部４４は、軒樋４の下端４ｅまで達していることが好ましい。
【００３２】
また本実施形態では、軒樋４の底部４１の形状は、仕切材３の外表面３ｆの形状に対応する形状としている。本実施形態では、軒樋４の底部４１の形状は、仕切材３の第二片３２の外表面３２ｆに対応する形状としている。この場合、仕切材３の第二片３２と軒樋４の底部４１とを近接させることにより、軒樋４の高さ位置をより低くできる。このため、軒樋４の底部４１の形状を仕切材３の外表面３ｆの形状に対応する形状とすれば、軒樋の高さ位置をより低い位置にすることができる。また豪雨又は積雪により軒樋４に作用する荷重が増大し、当該軒樋４が撓んだとき、軒樋４の底部４１が仕切材３の第二片３２に接触することにより、軒樋４の撓みの増大を防止することができる。なお、ここで、「近接」とは、本実施形態のように、仕切材３の第二片３２と軒樋４の底部４１との間に隙間Ｃ１を形成する場合だけでなく、仕切材３の第二片３２と軒樋４の底部４１とが接触している場合も含む。本明細書中、「軒樋４の底部４１の形状は、仕切材３の外表面３ｆの形状に対応する形状である」とは、軒樋４の底部４１が仕切材３の外表面３ｆに沿って延在していることを意味している。具体的には、軒樋４の底部４１は、仕切材３の第二片３２に対して平行又はほぼ平行に延在している。ここで、「ほぼ平行」とは、例えば、断面上、軒樋４の底部４１と仕切材３の第二片３２とのいずれか一方がジグザグ（凹凸）形状で、他方が直線状だとしても、ジグザグ（凹凸）形状の頂部を結ぶ直線が、他方に対し平行である場合も含む意味である。また、断面上、両者がジグザグ（凹凸）形状の場合に、互いに対向する各ジグザグ（凹凸）形状の頂部を結ぶ直線が夫々平行である場合も含む。本実施形態では、軒樋４の底部４１は、水平面に対して仕切材３の第二片３２に等しい傾斜角θで傾斜している。本実施形態では、軒樋４の底部４１は、仕切材３の第二片３２に対して平行に傾斜していることで、仕切材３の外表面３ｆの形状に対応する形状を有している。このように、仕切材３の第二片３２と軒樋４の底部４１とが等しい傾斜角θで、互いに平行となるように設置されていることにより、例えば、これらが略平行になるように設置されている場合に比べて、軒樋４の設置高さを低くしたとしても所望の隙間Ｃ１を確保することができる。
【００３３】
また本実施形態では、仕切材３は、軒樋４の底部４１に対応する部分が屋根２の軒先部２ａ側から外壁１の外表面１ｆ側に向かって下向きに下がった形状である。この場合、回り込んだ雨水が外壁１の外表面１ｆ方向に流れ易くなることで止水性を向上させることができると共に、塵埃が堆積し難くなることで外壁１の外表面１ｆの雨垂れ汚れを防止し防汚性を向上させることができる。ここで、屋根２の軒先部２ａ側から外壁１の外表面１ｆ側に向かって下向きに下がった形状とは、軒樋４の底部４１に対応する部分が全体として平坦な部分や逆勾配（水平方向外側に向かって登り勾配）となる部分がない形状、傾斜角θがどの位置でも０度より大きい形状である。具体例としては、建物内部に向かって凸状に湾曲した断面形状、建物外部に向かって凸状に湾曲した断面形状、又は、屋根２の軒先部２ａ側から外壁１の外表面１ｆ側に向かって直線的に下向きに下がった断面形状のものが含まれる。本実施形態では、仕切材３の第二片３２が、屋根２の軒下から外壁１の外表面１ｆに向かって下向きに下がった形状の部分に相当する。本実施形態では、仕切材３の第二片３２は、屋根２の軒下から外壁１の外表面１ｆに向かって下向きに直線的に下がった断面形状を有している。なお、仕切材３の第二片３２の断面形状が直線的ではない（例えば、波形状やジグザグ形状）である場合は、雨水や塵埃が滞留するおそれのある平坦な部分や谷の部分が形成されないものであることが好ましい。
【００３４】
また図３に示すように、本実施形態では、軒樋４の外側起立部４２の外表面４２ｆは、外壁１の外表面１ｆよりも建物外部側に突出した水平方向位置に配置されている。この場合、軒樋４の外側起立部４２の外表面４２ｆを伝って流れ落ちる雨水による、外壁１の外表面１ｆの雨垂れ汚れを防止することができる。
【００３５】
また図３に示すように、本実施形態では、軒樋４の下端４ｅは、軒樋４の外側起立部４１の下端に当該軒樋４の底部４１の水平方向外側端縁を建物外部に向かって下向きに接続した接続端である。この場合、建物を下方から見上げて軒樋４の底部４１の一部が外壁１の外表面１ｆよりも突出しているときでも、当該軒樋４の下端（一番下がった部分）４ｅが直線状の稜線を形作るように見える。このため、建物を見上げても、視覚的に外壁１の外表面１ｆよりも水平方向の外側に突出した軒樋４の底部４１の一部が厚みを感じさせることがなく、軒樋４の突出感を軽減させることができる。本実施形態では、軒樋４の下端４ｅの水平方向位置は、外壁１の外表面１ｆよりも若干（１５ｍｍ）突出しているが、軒樋４の下端４ｅは鋭角に屈曲し、平坦な面が形成されていないことで、視覚的に厚みがないように見えるので突出感が軽減する。なお、軒樋４の下端４ｅは、少なくとも、軒樋４の外側起立部４１の下端部分と、軒樋４の底部４１の水平方向外側端縁部分との間が鋭角をなし、前記接続端が尖ったエッジを構成するものであれば、それ以外の軒樋４の外側起立部４１及び軒樋４の底部４１の形状は、他の条件を考慮しつつ適宜変更することができる。
【００３６】
また本発明では、軒樋４の下端４ｅは、仕切材３の水平方向外側端３ｅと一致する高さ位置、又は、仕切材３の水平方向外側端３ｅよりも低い高さ位置であることが好ましい。この場合、仕切材３が軒樋４の陰に隠れて外部からは視認されにくくなる。このため、仕切材３に別途カバーを設ける必要がなく、構成を単純化することができる。特に軒樋４の外側起立部４２を意匠性に優れた形状にすれば、意匠性も損ねることもない。本実施形態では、軒樋４の下端４ｅは、仕切材３の水平方向外側端端３ｅよりも低い高さ位置である。なお、仕切材３の水平方向外側端端３ｅが本実施形態のように屈曲しているだけの形状ではなく、上下方向に延在している場合は、軒樋４の下端４ｅは、仕切材３の水平方向外側端３ｅの下端と一致する高さ位置、又は、仕切材３の水平方向外側端３ｅの下端よりも低い高さ位置であることが好ましい。
【００３７】
また本発明では、仕切材３の水平方向外側端３ｅは、外壁１の外表面１ｆと一致する水平方向位置、又は、当該外壁１の外表面１ｆよりも建物内部側に後退した水平方向位置に配置されていることが好ましい。この場合、軒樋４の外側起立部４２の外表面４２ｆは、外壁１の外表面１ｆよりも建物外部側に突出した水平方向位置に配置されていることとも相まって、より仕切材３を軒樋４で隠し易い。またこの場合、仕切材３が屋根２及び軒樋４で覆われることで、雨水及び塵埃が仕切材３に降り落ちることがない。このため、仕切材３を外壁１の外表面１ｆよりも後退させても外壁１に汚れが付着することがない。なお、本実施形態では、仕切材３の水平方向外側端３ｅは、当該仕切材３の最も水平方向外側端である。また本実施形態では、仕切材３の水平方向外側端３ｅは、外壁１の外表面１ｆよりも建物内部側に後退している。
【００３８】
上述のとおり、本発明によれば、軒樋４の高さ位置をより低い位置にすることができる、建物の軒先廻り構造を提供することができる。
【００３９】
上述したところは、本発明の様々な実施形態の一例であって、特許請求の範囲の記載によれば、種々の変更が可能である。例えば、仕切材３は、少なくとも、軒樋４の底部４１に対応する部分が外壁１の外表面１ｆ方向に向かって下る第二片３２を有した形状であれば、それ以外の部分の形状については、建物(屋根)の構造及び用途等に応じて適宜変更することができる。軒樋４の底部４１の形状も仕切材３の外表面３ｆの形状に対応する形状に限定されるものではない。また軒樋４は、その底部４１の形状が仕切材３の外表面３ｆの形状に対応する場合、上述のとおり、軒樋４の底部４１を仕切材３の外表面３ｆに近接させることができるため、軒樋４の高さ位置の抑制に有効である。また図３の軒樋４の下端４ｅの外形断面形状は、例えば曲率半径が２〜３ｍｍ以内の若干の丸みを帯びたものとすることができる。
【符号の説明】
【００４０】
１：外壁，  １ｅ：外壁の上端，  １ｆ：外壁の外表面，  ２：屋根，  ２ａ：屋根の軒先部，  ３：仕切材，  ３ｅ：仕切材の水平方向外側端，  ３ｆ：仕切材の外表面，  ３１：第一片，  ３２：第二片，  ３３：第三片，  ４：軒樋，  ４ｅ：軒樋の下端，  ４１：軒樋の底部，  ４２：軒樋の外側起立部，  ４２ｆ：軒樋の外側起立部の外表面，  ４３：軒樋の内側起立部，  ４４：軒樋の外側起立部の開口部，  ５：呼び樋（鮟鱇），  ６：縦樋（堅樋），  ７：飾り桝，  １１：外周梁，  １１ｅ：外周梁の上面，  １２：垂木，  １３：垂木受金物，  １３１：水平片，  １３２：第一起立片，  １３３：第二起立片，  １４：下地金物，  １４１：水平片，  １４２：傾斜片，  １４３：屈曲部，  １５：軒樋取付ブラケット，  １６：軒先水切り，  １６ａ：軒先水切りの先端，  １７：換気金物，  １７ｈ：通気用の小穴，  Ｂ：後退部，  Ｃ１：隙間，  Ｃ２：隙間，  Ｃ３：隙間，  Ｄ：窪み部，  Ｆ：締結手段，  θ：傾斜角
【図１】
2018172937.tif 000003
【図２】
2018172937.tif 000004
【図３】
2018172937.tif 000005